(57)【要約】      （修正有）【課題】コストが高い大型クレーンを用いずに、山側及び谷側とも制限のある狭隘箇所でも施工可能とする法面の掘削装置と施工方法を提供する。【解決手段】法面１の山側及び谷側に沿って略平行に作業構台３を設置し、その作業構台３の上に門型クレーン５を走行可能に配置し、その門型クレーン５に掘削機９を吊り下げる。そして、法面１の山側及び谷側に沿って略平行な作業構台３の上を走行する門型クレーン５に吊り下げられた掘削機９により法面１を掘削する。すなわち、法面１の山側及び谷側に沿って略平行な作業構台３上の門型クレーン５に吊り下げられた掘削機９による法面１の掘削を、作業構台３上を門型クレーン５が走行する度に繰り返し行う。【選択図】図１
2015132072.tif 000002
【特許請求の範囲】
【請求項１】
法面の山側及び谷側に沿って略平行に作業構台を設置し、
前記作業構台の上に門型クレーンを走行可能に配置し、
前記門型クレーンに掘削機を吊り下げ、
前記法面の山側及び谷側に沿って略平行な前記作業構台の上を走行する前記門型クレーンに吊り下げられた前記掘削機により法面を掘削することを特徴とする法面の掘削方法。
【請求項２】
前記法面の山側及び谷側に沿って略平行な前記作業構台上の前記門型クレーンに吊り下げられた前記掘削機による法面の掘削を、前記作業構台上を前記門型クレーンが走行する度に繰り返し行うことを特徴とする請求項１に記載の法面の掘削方法。
【請求項３】
法面の山側及び谷側に沿って略平行に設置した作業構台と、
前記作業構台の上に走行可能に配置した門型クレーンと、
前記門型クレーンに吊り下げた掘削機と、を備えることを特徴とする法面の掘削装置。
【請求項４】
法面の山側及び谷側に沿って略平行に作業構台を設置し、
前記作業構台の上に門型クレーンを走行可能に配置し、
前記門型クレーンに掘削機を吊り下げ、
前記法面の山側及び谷側に沿って略平行な前記作業構台の上を走行する前記門型クレーンに吊り下げられた前記掘削機により法面を掘削し、
前記法面の山側及び谷側に沿って略平行な前記作業構台上の前記門型クレーンに吊り下げられた前記掘削機による法面の掘削を、前記作業構台上を前記門型クレーンが走行する度に繰り返し行って連続する掘削溝を形成して、
前記掘削溝内に地中連続壁を構築することを特徴とする法面の地中連続壁施工方法
【請求項５】
前記地中連続壁としてアスファルトマスチックや遮水シートを用いて遮水壁を構築することを特徴とする請求項４に記載の法面の地中連続壁施工方法。
【発明の詳細な説明】
【技術分野】
【０００１】
本発明は、法面の掘削方法と、その方法に用いる装置と、その法面の掘削を含む地中連続壁の施工方法に関する。
【背景技術】
【０００２】
法面において、例えば遮水壁等の地中連続壁を構築するために掘削する場合、従来は大型クレーンに掘削機を吊り下げて法面の掘削を行っていた。
なお、立坑の掘削ではあるが、特許文献１には、地上部に設置された架台上を走行する門型クレーンに吊り下げた掘削機により立坑を掘削する工法が提案される。
【先行技術文献】
【特許文献】
【０００３】
【特許文献１】特開平７−９７８９２号公報
【発明の概要】
【発明が解決しようとする課題】
【０００４】
法面の地中連続壁の構築において、従来のように、掘削機が吊り下げられる大型クレーンを用いる場合、コストが高く付くことに加え、その大型クレーンが走行するために広い作業エリアを要するが、法面の山側及び谷側とも制限のある狭隘箇所では対応できない。
また、特許文献１のように、掘削機を吊り下げる門型クレーンが、平坦な地上部に設置された架台上を走行する方式のものでは、法面の掘削には対応できない。
【０００５】
本発明の課題は、法面の掘削において、コストが高い大型クレーンを用いずに、山側及び谷側とも制限のある狭隘箇所でも掘削可能とすることである。
【課題を解決するための手段】
【０００６】
以上の課題を解決するため、請求項１に記載の発明は、
法面の山側及び谷側に沿って略平行に作業構台を設置し、
前記作業構台の上に門型クレーンを走行可能に配置し、
前記門型クレーンに掘削機を吊り下げ、
前記法面の山側及び谷側に沿って略平行な前記作業構台の上を走行する前記門型クレーンに吊り下げられた前記掘削機により法面を掘削する、法面の掘削方法を特徴とする。
【０００７】
請求項２に記載の発明は、
請求項１に記載の法面の掘削方法であって、
前記法面の山側及び谷側に沿って略平行な前記作業構台上の前記門型クレーンに吊り下げられた前記掘削機による法面の掘削を、前記作業構台上を前記門型クレーンが走行する度に繰り返し行うことを特徴とする。
【０００８】
請求項３に記載の発明は、
法面の山側及び谷側に沿って略平行に設置した作業構台と、
前記作業構台の上に走行可能に配置した門型クレーンと、
前記門型クレーンに吊り下げた掘削機と、を備える、法面の掘削装置を特徴とする。
【０００９】
請求項４に記載の発明は、
法面の山側及び谷側に沿って略平行に作業構台を設置し、
前記作業構台の上に門型クレーンを走行可能に配置し、
前記門型クレーンに掘削機を吊り下げ、
前記法面の山側及び谷側に沿って略平行な前記作業構台の上を走行する前記門型クレーンに吊り下げられた前記掘削機により法面を掘削し、
前記法面の山側及び谷側に沿って略平行な前記作業構台上の前記門型クレーンに吊り下げられた前記掘削機による法面の掘削を、前記作業構台上を前記門型クレーンが走行する度に繰り返し行って連続する掘削溝を形成して、
前記掘削溝内に地中連続壁を構築する、法面の地中連続壁施工方法を特徴とする
【００１０】
請求項５に記載の発明は、
請求項４に記載の法面の地中連続壁施工方法であって、
前記地中連続壁としてアスファルトマスチックや遮水シートを用いて遮水壁を構築することを特徴とする。
【発明の効果】
【００１１】
本発明によれば、法面において、コストが高い大型クレーンを用いずに、山側及び谷側とも制限のある狭隘箇所でも掘削することができる。
【図面の簡単な説明】
【００１２】
【図１】本発明を適用した法面の掘削施工の一実施形態の構成を示す縦断正面図である。
【図２】図１の側面図である。
【発明を実施するための形態】
【００１３】
以下、図を参照して本発明を実施するための形態を詳細に説明する。
（実施形態）
図１及び図２は本発明を適用した法面の掘削施工の一実施形態の構成を示すもので、１は法面、３は作業構台、５は門型クレーン、７は巻上げ機、９は掘削機である。
【００１４】
図示のように、法面１には、その山側及び谷側に沿って略平行に作業構台３が、法面１に打ち込んだ杭４の上に構築して設置されている。
この作業構台３の上には、法面１の山側及び谷側に沿って略平行する一対のレール（図略）が敷設されていて、そのレール上に門型クレーン５が走行可能に配置されている。
そして、門型クレーン５に搭載した巻上げ機７から垂下するワイヤ８の下端に掘削機９が吊り下げられている。
【００１５】
ここで、門型クレーン５、巻上げ機７及び掘削機９は、図示しないＣＣＤカメラ及び無線送受信機を搭載し、無人で遠隔操作される。
【００１６】
図１及び図２は法面１の掘削溝１１の施工を示すものである。
すなわち、無人遠隔制御式の門型クレーン５、巻上げ機７及び掘削機９による法面１の掘削溝１１、その遮水壁の施工は次のように行う。
【００１７】
１）法面１を、その山側及び谷側に沿って略平行な作業構台３上の無人遠隔制御式の門型クレーン５の巻上げ機７に吊り下げた掘削機９の下降を伴う掘削により掘削溝１１を形成する。この掘削溝１１は、図示のように、難透水層１２に達するまで行う。
２）法面１の山側及び谷側に沿って略平行な作業構台３上の門型クレーン５に吊り下げられた掘削機９による法面１の掘削を、図２に矢印で示したように、作業構台３上を門型クレーン５が走行する度に繰り返し行って連続する掘削溝１１を形成する。
３）安定液で満たされた掘削溝１１にアスファルトマスチックを打設し、または図示しない遮水シートを挿入して、遮水壁を構築する。
【００１８】
以上、実施形態の法面の地中連続壁施工方法によれば、法面１において、その山側及び谷側に沿って略平行な作業構台３の上を走行する門型クレーン５に吊り下げられた掘削機９により法面１を掘削して、遮水壁を構築するため、コストが高い大型クレーンを用いずに、山側及び谷側とも制限のある狭隘箇所でも掘削して、法面１に遮水壁を構築することができる。
【００１９】
このように、法面１において、その山側及び谷側に沿って略平行な作業構台３の上を走行する門型クレーン５に吊り下げられた掘削機９により法面１を掘削して、遮水壁を構築したことによる効果を次に挙げる。
【００２０】
１）法面１の山側及び谷側に沿って略平行な作業構台３上に設置したレールを自走する門型クレーン５に掘削機９を搭載することで、従来の地中連続壁の施工機械（大型クレーン）に比べ軽量化することができるため、作業構台の仕様を落とすことができ、工期短縮が図れる。
２）遮水壁をアスファルトマスチックや遮水シートで構築し、鋼材などを使用しないため、鋼材間の継手がなく、遮水性に優れる。
３）地中連続壁に鋼材を使用しないため、鋼材建て込みによるクレーン作業が必要なく、作業エリアの縮小と工期の短縮が図れる。
４）無人遠隔操作による門型クレーン５、巻上げ機７及び掘削機９で施工するため、例えば高線量区域の対象法面において、作業員の被爆量低減が可能である。
５）法面１の地中連続壁構築以外の掘削についても対応可能である。
【００２１】
（変形例）
以上の実施形態においては、法面の遮水壁構築としたが、本発明はこれに限定されるものではなく、遮水壁に限らず、法面の連続地中壁構築であってもよい。
また、その他、具体的な細部構造等について適宜に変更可能であることは勿論である。
【符号の説明】
【００２２】
１  法面
３  作業構台
４  杭
５  門型クレーン
７  巻上げ機
８  ワイヤ
９  掘削機
１１  掘削溝
１２  難透水層
【図１】
2015132072.tif 000003
【図２】
2015132072.tif 000004